(57)【特許請求の範囲】
【請求項１】
一対の帯状の基材と、前記一対の基材のそれぞれの対向面に長手方向に沿って設けられ、互いに着脱自在に嵌合する雄側嵌合部及び雌側嵌合部とを有し、袋体の開口部の内面に取り付けられる嵌合具であって、
前記雌側嵌合部が、互いに離間した状態で前記基材の対向面からそれぞれ立ち上がり、前記雄側嵌合部が嵌め込まれる凹部を形成する第１のアーム部及び第２のアーム部を有し、
前記第２のアーム部の付け根部分が、該付け根部分の幅が該第２のアーム部における前記対向面から立ち上がる部分の最も広い幅に対して０．５０〜０．９０倍となるように外側が窪んで薄肉になっており、
前記第２のアーム部が袋体の内容物側に配置されることを特徴とする嵌合具。
【請求項２】
内容物を収容する袋本体と、該袋本体の開口部の内面に設けられた請求項１の嵌合具とを具備する嵌合具付き袋体。
【発明の詳細な説明】
【技術分野】
【０００１】
本発明は、嵌合具及び嵌合具付き袋体に関する。
【背景技術】
【０００２】
食品、薬品、雑貨等の様々な分野において、袋本体の開口部近傍の内面に、開口部を開閉自在に封じる嵌合具が取り付けられた嵌合具付き袋体が広く用いられている。嵌合具付き袋体としては、例えば、図７に例示した嵌合具付き袋体１０１（以下、「袋体１０１」という。）が知られている（例えば、特許文献１、２）。
袋体１０１は、フィルム材１２１、１２２が合わされて袋状にされた、内容物を収容する袋本体１２０と、袋本体１２０の開口部１２３近傍の内面に取り付けられた嵌合具１１０とを有する。嵌合具１１０は、一対の帯状の第１の基材１１１及び第２の基材１１２のそれぞれに、雄側嵌合部１１３及び該雄側嵌合部１１３に着脱自在に嵌合する雌側嵌合部１１４が、それら第１の基材１１１及び第２の基材１１２の長手方向に沿って設けられている。雄側嵌合部１１３は、第１の基材１１１から立ち上がる幹部１１３ａと、幹部１１３ａの先端部に形成された幹部１１３ａよりも大きい頭部１１３ｂからなる。雌側嵌合部１１４は、第２の基材１１２から円弧状に立ち上がる第１のアーム部１１４ａ及び第２のアーム部１１４ｂを有し、それら第１のアーム部１１４ａ及び第２のアーム部１１４ｂにより凹部１１４ｃが形成されている。嵌合具１１０は、第１の基材１１１が袋本体１２０のフィルム材１２１の内面、第２の基材１１２が袋本体１２０のフィルム材１２２の内面に取り付けられており、雄側嵌合部１１３と雌側嵌合部１１４を着脱させることにより、袋体１０１の開口部１２３を繰り返し開閉できる。
【０００３】
しかし、袋体１０１においては、袋本体１２０内に収容する内容物が多い場合等、袋本体１２０の内圧が高くなると、図８に示すように、内容物側のフィルム材１２１とフィルム材１２２が広がり、それに伴って嵌合具１１０の第１の基材１１１及び第２の基材１１２の内容物側が広がる。このとき、雌側嵌合部１１４の第２のアーム部１１４ｂが第２の基材１１２に引っ張られて内容物側に開き、凹部１１４ｃが広がることで雄側嵌合部１１３が雌側嵌合部１１４から離脱しやすくなって、袋体１０１が開いてしまうことがある。
【先行技術文献】
【特許文献】
【０００４】
【特許文献１】特開平１０−２６４９４６号公報
【特許文献２】特許第３５２９５０３号公報
【発明の概要】
【発明が解決しようとする課題】
【０００５】
本発明は、袋本体に取り付けて該袋本体の開口部を開閉自在に封じる嵌合具であって、袋本体の内圧が高くなっても内容物側から開くことを抑制できる嵌合具、及び該嵌合具を備えた嵌合具付き袋体の提供を目的とする。
【課題を解決するための手段】
【０００６】
本発明の嵌合具は、一対の帯状の基材と、前記一対の基材のそれぞれの対向面に長手方向に沿って設けられ、互いに着脱自在に嵌合する雄側嵌合部及び雌側嵌合部とを有し、袋体の開口部の内面に取り付けられる嵌合具であって、
前記雌側嵌合部が、互いに離間した状態で前記基材の対向面からそれぞれ立ち上がり、前記雄側嵌合部が嵌め込まれる凹部を形成する第１のアーム部及び第２のアーム部を有し、
前記第２のアーム部の付け根部分が、該付け根部分の幅が該第２のアーム部における前記対向面から立ち上がる部分の最も広い幅に対して０．５０〜０．９０倍となるように外側が窪んで薄肉になっており、
前記第２のアーム部が袋体の内容物側に配置されることを特徴とする。
【０００７】
また、本発明の嵌合具付き袋体は、内容物を収容する袋本体と、該袋本体の開口部の内面に設けられた本発明の嵌合具とを具備する。
【発明の効果】
【０００８】
本発明の嵌合具は、袋本体に取り付けて該袋本体の開口部を開閉自在に封じる嵌合具であって、袋本体の内圧が高くなっても内容物側から開くことを抑制できる。
また、本発明の嵌合具付き袋体は、袋本体の内圧が高くなっても内容物側から開き難い。
【図面の簡単な説明】
【０００９】
【図１】本発明の嵌合具の一例を示した断面図である。
【図２】図１の嵌合具の雄側嵌合部及び雌側嵌合部を拡大した正面図である。
【図３】本発明の嵌合具付き袋体の一例を示した正面図である。
【図４】図３の嵌合具付き袋体を直線Ｉ−Ｉ’で切断したときの断面図である。
【図５】図４の嵌合具付き袋体を開封した様子を示した断面図である。
【図６】図５の嵌合具付き袋体の内容物側が広がった様子を示した断面図である。
【図７】従来の嵌合具付き袋体の一例を示した断面図である。
【図８】図７の嵌合具付き袋体の内容物側が広がった様子を示した断面図である。
【発明を実施するための形態】
【００１０】
＜嵌合具＞
図１は、本実施形態の嵌合具１０を、短手方向に沿って切断したときの断面図である。他の嵌合具の断面図についても同様である。
本実施形態の嵌合具１０は、図１に示すように、一対の帯状の第１の基材１１及び第２の基材１２と、第１の基材１１の対向面１１ａ及び第２の基材１２の対向面１２ａのそれぞれに長手方向に沿って設けられ、互いに着脱自在に嵌合する雄側嵌合部１３及び雌側嵌合部１４と、を有している。
嵌合具１０の雌側嵌合部１４は、第２の基材１２の対向面１２ａからそれぞれ立ち上がり、雄側嵌合部１３が嵌まり込む凹部１４ｃを形成する第１のアーム部１４ａ及び第２のアーム部１４ｂを有しており、第２のアーム部１４ｂ側を袋体の内容物側にして袋本体の開口部の内面に取り付けられる。つまり、嵌合具１０は、第１の基材１１及び第２の基材１２における第１のアーム部１４ａ側の側端１１ｂ、１２ｂを袋体に形成する開口部側とし、第１の基材１１及び第２の基材１２における第２のアーム部１４ｂ側の側端１１ｃ、１２ｃを袋体の内容物側とするように袋本体に取り付けられる。
【００１１】
第１の基材１１は、特に限定されず、公知の嵌合具の基材に使用されるものが使用でき、積層フィルムからなる基材が好ましい。積層フィルムからなる第１の基材１１としては、例えば、対向面１１ａ側から、耐熱層とヒートシール層が積層されたフィルムが挙げられる。また、第１の基材１１は、耐熱層とヒートシール層の間にバリア層を有していてもよい。
耐熱層の材質としては、二軸延伸ナイロン、二軸延伸ポリプロピレン等が挙げられる。
ヒートシール層の材質としては、直鎖状低密度ポリエチレン、無延伸ポリプロピレン、エチレン−酢酸ビニル共重合体、アイオノマー等が挙げられる。
バリア層の材質としては、ポリビニルアルコール等が挙げられる。
【００１２】
第１の基材１１は、１種の樹脂からなっていてもよく、２種以上の樹脂を含む樹脂組成物からなっていてもよい。また、必要に応じて安定剤、酸化防止剤、滑剤、帯電防止剤、着色剤等の公知の添加剤が添加されていてもよい。
また、第１の基材１１は、積層フィルムからなる基材には限定されず、単層フィルムからなる基材であってもよい。
第２の基材１２としては、第１の基材１１と同じ基材が挙げられ、好ましい態様も同じである。
【００１３】
雄側嵌合部１３は、第１の基材１１の対向面１１ａから立ち上がる幹部１３ａと、幹部１３ａの先端部に設けられた、幹部１３ａよりも大きい断面略半円形状の頭部１３ｂを有している。
雄側嵌合部１３の断面形状は、雄側嵌合部１３と雌側嵌合部１４を着脱して袋体に形成した開口部の開閉が繰り返し行えるものであればよく、任意の断面形状を採用できる。
【００１４】
雌側嵌合部１４は、第２の基材１２の対向面１２ａから断面円弧状に立ち上がる第１のアーム部１４ａと第２のアーム部１４ｂからなり、第１のアーム部１４ａと第２のアーム部１４ｂによって凹部１４ｃが形成されている。雄側嵌合部１３と雌側嵌合部１４は、雄側嵌合部１３の頭部１３ｂを雌側嵌合部１４の凹部１４ｃに嵌め込むことで、着脱自在に嵌合できるようになっている。
【００１５】
雌側嵌合部１４は、図１及び図２に示すように、第２のアーム部１４ｂの付け根部分ａが、第２のアーム部１４ｂの外側が窪むように薄肉になっている。つまり、第２のアーム部１４ｂの付け根部分ａにおける内容物側が欠けたような状態となっている。
雌側嵌合部１４の第２のアーム部１４ｂがこのような形態となっていることで、図７に例示した嵌合具１１０に比べて、第２のアーム部１４ｂと第２の基材１２の接続部分が小さく、第２のアーム部１４ｂと第２の基材１２の側端１２ｃ側とを充分に離間できる。そのため、雌側嵌合部１４の第２のアーム部１４ｂが第２の基材１２の側端１２ｃ側の動きに追従し難い。これにより、第１の基材１１及び第２の基材１２の側端１１ｃ、１２ｃ側が開いても、その動きに追従して雌側嵌合部１４の第２のアーム部１４ｂが第２の基材１２の側端１２ｃ側に開くことが抑制され、雄側嵌合部１３が雌側嵌合部１４から脱離することが抑制される。
【００１６】
雌側嵌合部１４の第２のアーム部１４ｂの付け根部分の幅ｄ１（図２）は、第２のアーム部１４ｂにおける第２の基材１２の対向面１２ａから立ち上がる部分の最も広い幅ｄ２（図２）に対して、０．５０〜０．９０倍が好ましく、０．７０〜０．８５倍がより好ましい。前記幅ｄ１が前記幅ｄ２に対して０．５０倍以上であれば、雄側嵌合部１３と雌側嵌合部１４の嵌合強度を維持しやすい。また、前記幅ｄ１が前記幅ｄ２に対して０．９０倍以下であれば、雌側嵌合部１４の第２のアーム部１４ｂが第２の基材１２の側端１２ｃ側の動きにより追従し難く、第１の基材１１及び第２の基材１２の内容物側が開いても、雄側嵌合部１３と雌側嵌合部１４が嵌合した状態が維持されやすい。
【００１７】
雄側嵌合部１３と雌側嵌合部１４の断面形状は、前述のように第２のアーム部１４ｂの付け根部分ａが、第２のアーム部１４ｂの外側が窪むように薄肉になっている以外は、本発明の効果が充分に得られる範囲内であれば特に限定されない。
雄側嵌合部１３及び雌側嵌合部１４の材質としては、第１の基材１１及び第２の基材１２と同じ材質が使用できる。
【００１８】
［嵌合具付き袋体］
以下、前述した嵌合具１０を備えた嵌合具付き袋体１（以下、「袋体１」という。）について説明する。
本実施形態の袋体１は、図３に示すように、内容物を収容する密封された状態の袋本体２０と、袋本体２０内の上部の内面に、横方向に沿って取り付けられた嵌合具１０とを有している。
袋本体２０は、第１のフィルム材２１と第２のフィルム材２２が重ね合わされ、それらの周縁部２３が全てヒートシールされることで形成されており、密封された状態になっている。また、袋本体２０における嵌合具１０よりも上部側には、横方向に沿って切断補助線２４が設けられており、その端部にノッチ２５が形成されている。
嵌合具１０は、図４に示すように、第１の基材１１の外面１１ｄが袋本体２０の第１のフィルム材２１に溶着され、第２の基材１２の外面１２ｄが袋本体２０の第２のフィルム材２２に溶着されている。
【００１９】
袋本体２０の形状は、本実施形態では矩形である。ただし、袋本体２０の形状は矩形には限定されない。また、袋本体２０の大きさも特に限定されず、袋本体２０に収容する内容物によって適宜選定すればよい。
【００２０】
袋本体２０を形成する第１のフィルム材２１と第２のフィルム材２２は、ヒートシールにより嵌合具１０を溶着できるものであればよく、内面側からシーラント層と基材層を少なくとも有する積層フィルムが好ましい。
基材層としては、二軸延伸ナイロン、二軸延伸ポリプロピレン等が挙げられる。
シーラント層としては、直鎖状低密度ポリエチレン、無延伸ポリプロピレン、エチレン−酢酸ビニル共重合体、アイオノマー等が挙げられる。
また、前記積層フィルムには、バリア層等の機能層を設けてもよい。
また、第１のフィルム材２１と第２のフィルム材２２は、シーラント層のみからなる単層フィルムであってもよい。
【００２１】
切断補助線２４は、袋本体２０を切断して開封するのを補助する線である。切断補助線２４としては、例えば、袋本体２０の第１のフィルム材２１及び第２のフィルム材２２における切断補助線２４の部分をそれ以外の部分に比べて薄肉化した弱化線、ミシン目からなる弱化線、列状に形成された細孔からなる弱化線が挙げられる。また、切断補助線２４は、前記弱化線には限定されず、ハサミやカッター等で切断する位置を示す、印刷等で形成した線であってもよい。
切断補助線２４は、本実施形態では袋本体２０の幅方向に沿って形成されているが、この形態には限定されず、袋本体２０の幅方向に対して傾斜して設けられていてもよい。
【００２２】
ノッチ２５の形状は、この例では三角形状であるが、特に限定されず、半円形状、直線状等であってもよい。
【００２３】
袋体１は、ノッチ２５から切断補助線２４に沿って袋本体２０の上部を切断して除去することで、図５に示すように、上部に開口部２６を形成して開封することができる。袋体１に形成した開口部２６は、嵌合具１０の雄側嵌合部１３と雌側嵌合部１４を着脱することで繰り返し開閉できる。
袋体１は、雌側嵌合部１４の第２のアーム部１４ｂの付け根部分ａが、第２のアーム部１４ｂの外側が窪むように薄肉になっていることで、袋本体２０内に収容する内容物の量が多い場合等、袋本体２０の内圧が高くなっても、嵌合具１０が内容物側から開き難い。そのため、袋体１は、内圧が高くなっても、嵌合具１０によって開口部２６を閉じた状態を安定して維持できる。雌側嵌合部１４によって前記効果が得られる要因は以下のように考えられる。
【００２４】
前述したように、従来の袋体１０１においては、図８に示すように、袋本体１２０の内圧が高くなると、内容物側のフィルム材１２１とフィルム材１２２と共に、嵌合具１１０の第１の基材１１１及び第２の基材１１２の内容物側が広がる。このとき、雌側嵌合部１１４の第２のアーム部１１４ｂが第２の基材１１２に引っ張られ、第２のアーム部１１４ｂが内容物側に開いてしまうことで、雄側嵌合部１１３が雌側嵌合部１１４から脱離しやすくなる。このように、嵌合具１１０は内容物側から予期せず開いてしまうことがある。
これに対し、袋体１では、図５に示すように、第２のアーム部１４ｂの付け根部分ａが、第２のアーム部１４ｂの外側が窪むように薄肉になっていることで、第２のアーム部１４ｂの外側において、第２のアーム部１４ｂと第２の基材１２との接続部分が小さくなっている。そのため、第２のアーム部１４ｂが第２の基材１２の側端１２ｃの動きに追従し難く、第２のアーム部１４ｂと第２の基材１２とが離間しやすい。これにより、図６に示すように、袋本体２０の内圧が高まって、第１のフィルム材２１及び第２のフィルム材２２と共に、嵌合具１０の第１の基材１１と第２の基材１２の内容物側が広がっても、第２のアーム部１４ｂが内容物側に引っ張られて開くことが抑制され、雄側嵌合部１３と雌側嵌合部１４の嵌合状態が安定に維持される。
【００２５】
なお、本発明の嵌合具及び嵌合具付き袋体は、前記嵌合具１０及び袋体１には限定されない。
例えば、本発明の嵌合具は、内容物側の第２のアーム部の付け根部分が、該第２のアーム部の外側が窪むように薄肉になっている以外の形態は特に限定されず、その他の形態は公知のいかなる形態を採用してもよい。
また、嵌合具付き袋体の袋本体も特に限定されず、嵌合具付き袋体の袋本体として知られる様々な形態の袋本体を採用できる。例えば、袋体１は切断補助線２４を利用して開封するまでは密封状態の袋体であったが、予め開口部が形成された袋本体を有する嵌合具付き袋体であってもよい。
【符号の説明】
【００２６】
１  嵌合具付き袋体
１０  嵌合具
１１  第１の基材
１２  第２の基材
１３  雄側嵌合部
１４  雌側嵌合部
１４ａ  第１のアーム部
１４ｂ  第２のアーム部
１４ｃ  凹部
２０  袋本体
２１  第１のフィルム材
２２  第２のフィルム材
２３  周縁部
２４  切断補助線
２５  ノッチ
２６  開口部
【図１】
0005982123.tif 000002
【図２】
0005982123.tif 000003
【図３】
0005982123.tif 000004
【図４】
0005982123.tif 000005
【図５】
0005982123.tif 000006
【図６】
0005982123.tif 000007
【図７】
0005982123.tif 000008
【図８】
0005982123.tif 000009